(57)【要約】【課題】利便性を高めた継手構造を提供する。【解決手段】継手構造は、ポンプ１０の吸込口３２または吐出口３４に接続され、第１流路を構成するプラグ７０と、プラグ７０にワンタッチ操作で着脱自在に連結され、第２流路を構成するソケットと、を備える。ソケットは、プラグ７０から外された解除状態において第２流路を途中で閉鎖し、プラグに連結された連結状態において第２流路の閉鎖を解除する弁機構を有する。プラグ７０は、連結状態においてソケットと係合し、弁機構を構成する弁体を押し出して第２流路の閉鎖を解除させる連結部７２と、吸込口３２または吐出口３４に固定される固定部７６と、を有する。固定部７６は、逆止弁６１、６２を第１流路と連通させて内部に収容する格納室７８を有し、格納室７８の軸方向の長さが格納室の内直径よりも大きくなるように構成される。【選択図】図２
0003190294.tif 000002
【実用新案登録請求の範囲】
【請求項１】
吸込口および吐出口の間に設けられてポンプの駆動により流体が通る通路と、前記吸込口および前記吐出口のそれぞれに設けられて前記通路と連通する逆止弁と、を備えるポンプの前記吸込口または前記吐出口の少なくとも一方に設けられる継手構造であって、
前記吸込口または前記吐出口に接続され、軸方向に延びて前記通路と連通する第１流路を構成するプラグと、
前記プラグにワンタッチ操作で着脱自在に連結され、前記軸方向に延びて前記第１流路と連通する第２流路を構成するソケットと、を備え、
前記ソケットは、前記プラグから外された解除状態において前記第２流路を途中で閉鎖し、前記プラグに連結された連結状態において前記第２流路の閉鎖を解除する弁機構を有し、
前記プラグは、
前記連結状態において前記ソケットと係合し、前記弁機構を構成する弁体を押して前記第２流路の閉鎖を解除させる連結部と、
前記吸込口または前記吐出口に螺合して固定される固定部と、を有し、
前記固定部は、前記逆止弁を前記第１流路と連通させて内部に収容する格納室を有し、前記格納室の軸方向の長さが当該格納室の内直径よりも大きくなるように構成されることを特徴とする継手構造。
【請求項２】
前記ポンプは、前記吸込口または前記吐出口の少なくとも一方に、前記通路に直列接続される二つの逆止弁を備え、
前記固定部は、前記格納室の軸方向の長さが、前記逆止弁の軸方向の長さよりも大きく、前記逆止弁の軸方向の長さの二倍よりも小さいことを特徴とする請求項１に記載の継手構造。
【請求項３】
前記連結部は、前記固定部の中心軸に対して回動自在となるように構成され、前記中心軸に交差する方向に屈曲したＬ字管形状を有することを特徴とする請求項１または２に記載の継手構造。
【請求項４】
吸込口と、吐出口と、前記吸込口および前記吐出口の間に設けられてポンプ本体の駆動により流体が通る通路と、を有するポンプヘッドと、
前記吸込口および前記吐出口のそれぞれに設けられ、前記通路と連通する逆止弁と、
前記吸込口または前記吐出口の少なくとも一方に設けられる継手構造と、
を備え、
前記継手構造は、
前記吸込口または前記吐出口に接続され、軸方向に延びて前記通路と連通する第１流路を構成するプラグと、
前記プラグにワンタッチ操作で着脱自在に連結され、前記軸方向に延びて前記第１流路と連通する第２流路を構成するソケットと、を備え、
前記ソケットは、前記プラグから外された解除状態において前記第２流路を途中で閉鎖し、前記プラグに連結された連結状態において前記第２流路の閉鎖を解除する弁機構を有し、
前記プラグは、
前記連結状態において前記ソケットと係合し、前記弁機構を構成する弁体を押して前記第２流路の閉鎖を解除させる連結部と、
前記吸込口または前記吐出口に螺合して固定される固定部と、を有し、
前記固定部は、前記逆止弁を前記第１流路と連通させて内部に収容する格納室を有し、前記格納室の軸方向の長さが、当該格納室の内直径よりも大きくなるように構成されることを特徴とするポンプ。
【請求項５】
当該ポンプは、前記通路と連通するダイアフラム室を画する隔膜を往復動させることにより、前記流体を前記吸込口から前記吐出口へ搬送するダイアフラムポンプであることを特徴とする請求項４に記載のポンプ。
【考案の詳細な説明】
【技術分野】
【０００１】
本考案は、継手構造に関し、特に、ポンプの吸込口または吐出口に設けられる継手構造に関する。
【背景技術】
【０００２】
往復運動により圧力を与えて流体を供給する往復動ポンプとして、ダイアフラムポンプがある。ダイアフラムポンプは、ダイアフラム室を画する隔膜を往復動させてダイアフラム室の容積を変化させることにより流体を供給する。ダイアフラムポンプは、ダイアフラム室の容積変化を調整することにより流体を定量的に供給できるため、化学薬液などを定量注入する用途などに用いられる。
【０００３】
ポンプの吸込口および吐出口には、ポンプによって供給される液体を通すためのホースや配管などが接続される。ホースや配管などを接続する継手構造として、一般に、吸込口や吐出口の接続端に設けられるユニオンナット等が用いられる。
【考案の概要】
【考案が解決しようとする課題】
【０００４】
ポンプを使用する装置の組み立て時やメンテナンス時には、接続されるホース等を取り付けたり、外したりする必要がある。したがって、着脱が容易な継手構造が設けられることが望ましい。
【０００５】
本考案はこうした課題に鑑みてなされたものであり、その目的は、利便性を高めた継手構造を提供することにある。
【課題を解決するための手段】
【０００６】
上記課題を解決するために、本考案のある態様の継手構造は、吸込口および吐出口の間に設けられてポンプの駆動により流体が通る通路と、吸込口および吐出口のそれぞれに設けられて通路と連通する逆止弁と、を備えるポンプの吸込口または吐出口の少なくとも一方に設けられる。この継手構造は、吸込口または吐出口に接続され、軸方向に延びて通路と連通する第１流路を構成するプラグと、プラグにワンタッチ操作で着脱自在に連結され、軸方向に延びて第１流路と連通する第２流路を構成するソケットと、を備える。ソケットは、プラグから外された解除状態において第２流路を途中で閉鎖し、プラグに連結された連結状態において第２流路の閉鎖を解除する弁機構を有する。プラグは、連結状態においてソケットと係合し、弁機構を構成する弁体を押して第２流路の閉鎖を解除させる連結部と、吸込口または吐出口に螺合して固定される固定部と、を有する。固定部は、逆止弁を第１流路と連通させて内部に収容する格納室を有し、格納室の軸方向の長さが当該格納室の内直径よりも大きくなるように構成される。
【０００７】
上記態様の継手構造によれば、ポンプの吸込口または吐出口に設けられるプラグに、ソケットがワンタッチ操作で着脱できる。そのため、ポンプに接続されるホース等をユニオンナット等の同軸ねじ構造の継手により接続する場合と比べて、ホース等を容易に着脱することができ、メンテナンス時の利便性が高められる。また、プラグからソケットを外す場合に、ソケット側の流路が閉鎖される弁機構を有するため、ホース等を取り外す場合にホース等に残る流体が漏洩しにくい。特に、ポンプによって化学薬液を供給する場合において、ホース等の着脱時における化学薬液の漏出を防止することができるため、メンテナンス時の利便性および安全性を高めることができる。
【０００８】
また上記態様の継手構造によれば、吸込口または吐出口に接続されるプラグが、吸込口または吐出口に設けられる逆止弁を収容する機能を併せ持つ。したがって、ワンタッチ接続を可能とするアタッチメントをユニオンナット等を介して別途取り付ける場合と比べて、部品点数を削減し、利便性を高めた継手構造を提供できる。
【０００９】
ポンプは、吸込口または吐出口の少なくとも一方に、通路に直列接続される二つの逆止弁を備えてもよい。固定部は、格納室の軸方向の長さが、逆止弁の軸方向の長さよりも大きく、逆止弁の軸方向の長さの二倍よりも小さくてもよい。
【００１０】
連結部は、前記固定部の中心軸に対して回動自在となるように構成され、前記中心軸に交差する方向に屈曲したＬ字管形状を有してもよい。
【００１１】
本考案の別の態様は、継手構造を備えるポンプである。このポンプは、吸込口と、吐出口と、吸込口および吐出口の間に設けられてポンプ本体の駆動により流体が通る通路と、を有するポンプヘッドと、吸込口および吐出口のそれぞれに設けられ、通路と連通する逆止弁と、吸込口または吐出口の少なくとも一方に設けられる継手構造と、を備える。継手構造は、吸込口または吐出口に接続され、軸方向に延びて通路と連通する第１流路を構成するプラグと、プラグにワンタッチ操作で着脱自在に連結され、軸方向に延びて第１流路と連通する第２流路を構成するソケットと、を備える。ソケットは、プラグから外された解除状態において第２流路を途中で閉鎖し、プラグに連結された連結状態において第２流路の閉鎖を解除する弁機構を有する。プラグは、連結状態においてソケットと係合し、弁機構を構成する弁体を押して第２流路の閉鎖を解除させる連結部と、吸込口または吐出口に螺合して固定される固定部と、を有する。固定部は、逆止弁を第１流路と連通させて内部に収容する格納室を有し、格納室の軸方向の長さが、当該格納室の内直径よりも大きくなるように構成される。
【００１２】
当該ポンプは、通路と連通するダイアフラム室を画する隔膜を往復動させることにより、流体を吸込口から吐出口へ搬送するダイアフラムポンプであってもよい。
【考案の効果】
【００１３】
本考案によれば、利便性を高めた継手構造を提供することができる。
【図面の簡単な説明】
【００１４】
【図１】実施の形態に係るポンプを示す外観図である。
【図２】実施の形態に係るポンプの構造を示す断面図である。
【図３】実施の形態に係る継手構造を示す部分断面図である。
【図４】実施の形態に係る継手構造を示す部分断面図である。
【考案を実施するための形態】
【００１５】
以下、本考案の実施の形態を図面を参照して説明する。なお、すべての図面において、同様な構成要素には同様の符号を付し、適宜説明を省略する。
【００１６】
図１は、実施の形態に係るポンプ１０を示す外観図である。ポンプ１０は、プラグ７０とソケット８０とで構成される継手構造６８を備える。継手構造６８は、吐出部６０に設けられ、ソケット８０には、図示しないホース等が接続される。ソケット８０は、プラグ７０に対してワンタッチ操作で着脱可能に構成されており、プラグ７０に連結された状態において流路が連通し、プラグ７０から外した状態において流路が閉鎖される弁機構を有する。したがって、本実施の形態に係る継手構造６８は、ホース等のワンタッチ着脱を可能とするとともに、ホース等を外した状態において、ホース内に残留する液体がソケット８０から漏洩しない構造を有する。これにより、継手構造６８は、ホース等を着脱する際の利便性を高める。
【００１７】
ポンプ１０は、ポンプ本体１２と、ポンプヘッド２０と、吸込部４０と、ガス抜き弁５０と、吐出部６０とを備える。ポンプ１０は、往復運動により圧力を与えて液体などの流体を供給する往復動ポンプであり、ダイアフラム室を画する隔膜を往復動させてダイアフラム室の容積を変化させることにより液体を供給するダイアフラムポンプである。ポンプ１０は、ポンプヘッド２０に設けられるダイアフラム室を介して、吸込部４０から供給される液体を吐出部６０へ搬送する。ガス抜き弁５０は、吸込部４０と吐出部６０をつなぐ通路にたまった気泡を排出する。
【００１８】
図２は、実施の形態に係るポンプ１０の構造を示す断面図である。なお本図では、プラグ７０に連結されるソケット８０を図示していない。ソケット８０の構造については、図３及び図４を用いて後述する。
【００１９】
ポンプ本体１２は、軸方向に往復動する駆動軸１６を駆動する。駆動軸１６の先端にはゴムなどの可撓性材料で形成された隔膜であるダイヤフラム１４が設けられる。ダイヤフラム１４は、前面中央部１４ａとポンプヘッド２０との間にダイヤフラム室２２を形成し、周縁部１４ｂにおいてポンプヘッド２０に保持される。
【００２０】
ポンプヘッド２０は、ダイヤフラム室２２と、ダイレクト通路２４と、上部通路２６と、下部通路２８と、バルブボール３０と、吸込口３２と、吐出口３４とを有する。吸込口３２は、ポンプヘッド２０の下端に設けられ、吐出口３４は、ポンプヘッド２０の上端に設けられる。
【００２１】
ダイレクト通路２４は、吸込口３２と吐出口３４の間を繋ぐように鉛直方向に延びる。ダイレクト通路２４は、他の通路に比べて口径が大きく設けられる。これにより、搬送する液体に気泡が含まれる場合にであっても、気泡の表面張力によって通路の表面に気泡が付着しにくくする。また、ダイレクト通路２４の上端には、上方に向けて円錐状に口径が小さくテーパー部２４ａが設けられる。これにより、気泡を通路内面に付着しにくくし、吐出口３４またはガス抜き部５０に気泡が抜けやすい構造とする。
【００２２】
ダイヤフラム室２２とダイレクト通路２４の間には、上部通路２６および下部通路２８が設けられる。上部通路２６は、ダイヤフラム室２２の頂部とダイレクト通路２４とを連通させる通路であり、下部通路２８は、ダイヤフラム室２２の底部とダイレクト通路２４とを連通させる通路である。上部通路２６および下部通路２８の口径は、ほぼ同じ口径を有しており、ダイレクト通路２４よりも小さな口径となる。また、上部通路２６および下部通路２８は、ダイレクト通路２４側が上、ダイヤフラム室２２側が下となるように斜めに形成される。これにより、ダイヤフラム室２２に入り込んだ気泡をダイレクト通路２４へ排出しやすくする。
【００２３】
下部通路２８には、ダイヤフラム室２２の底部との間にバルブボール３０が設けられる。バルブボール３０は、下部通路２８を介してダイレクト通路２４からダイヤフラム室２２への液体の流入を阻害しない一方で、ダイヤフラム室２２からダイレクト通路２４への流れを阻害する逆止弁として機能する。
【００２４】
吸込口３２には、吸込部４０が設けられる。吸込部４０は、二つの吸込側逆止弁４１、４２と、ホースジョイント４６とを有する。ホースジョイント４６は、吸込口３２に接続され、軸方向に延びる中空構造により吸込流路４６ａを構成する。吸込流路４６ａは、二つの吸込側逆止弁４１、４２を介してダイレクト通路２４と連通するように設けられる。ホースジョイント４６は、ホース等が接続可能な接続端４６ｂを有し、接続されるホース等を固定するためのユニオンナット４７およびユニオンカラー４８が取り付けられる。
【００２５】
吸込口３２とホースジョイント４６の間には、吸込側第１逆止弁４１および吸込側第２逆止弁４２が設けられる。吸込側第１逆止弁４１は、ダイレクト通路２４に隣接して設けられ、吸込側第２逆止弁４２は、吸込流路４６ａに隣接して設けられる。二つの吸込側逆止弁４１、４２は、ダイレクト通路２４と吸込流路４６ａとを連通するように直列して配置され、吸込口３２とホースジョイント４６の間に挟み込まれて固定される。吸込口３２とホースジョイント４６の間は、Ｏリング４４により密閉される。また、ダイレクト通路２４と吸込側第１逆止弁４１の間には、ダイレクト通路２４への異物の侵入を防ぐフィルタ４３が設けられる。
【００２６】
吐出口３４には、吐出部６０が設けられる。吐出部６０は、二つの吐出側逆止弁６１、６２と、プラグ７０とを有する。プラグ７０は、吐出口３４に接続され、軸方向に延びる中空構造により吐出流路７２ａを構成する。吐出流路７２ａは、二つの吐出側逆止弁６１、６２を介してダイレクト通路２４と連通するように設けられる。プラグ７０は、ソケット８０と係合する連結部７２と、吐出口３４に螺合して固定される固定部７６とを有する。固定部７６は、内部に吐出側逆止弁６１、６２を収容する格納室７８を持つ。吐出流路７２ａと固定部７６との間は、吐出側第２逆止弁６２の口径に対応した小さな開口径を有する連通孔７２ｃによりつながる。
【００２７】
吐出口３４とプラグ７０の固定部７６との間には、吐出側第１逆止弁６１および吐出側第２逆止弁６２が設けられる。吐出側第１逆止弁６１は、ダイレクト通路２４に隣接して設けられ、吐出側第２逆止弁６２は、吐出流路７２ａに隣接して設けられる。二つの吐出側逆止弁６１、６２は、ダイレクト通路２４と吐出流路７２ａとを連通するように直列して配置され、吸込口３２と固定部７６の間に挟み込まれて固定される。吐出口３４と固定部７６の間は、Ｏリング６４により密閉される。また、吐出側第２逆止弁６２と吐出流路７２ａの間には、ガスケット６３が設けられてシールされる。
【００２８】
以上の構成により、ポンプ１０は、吸込部４０から吐出部６０へ向けて液体を搬送する。ポンプ１０は、吸込工程においてダイヤフラム室２２の容積が増大するようにダイヤフラム１４を変形させる。ダイヤフラム室２２の容積が増大すると、ポンプヘッド２０の内部通路が負圧となり、吸込側逆止弁４１、４２が開いて吸込流路４６ａおよびダイレクト通路２４が連通し、吸込部４０からダイヤフラム室２２へ液体が吸い込まれる。
【００２９】
ポンプ１０は、吐出工程においてダイヤフラム室２２の容積が減少するようにダイヤフラム１４を変形させる。ダイヤフラム室２２の容積が減少すると、ポンプヘッド２０の内部通路が正圧となり、吐出側逆止弁６１、６２が開いて吐出流路７２ａおよびダイレクト通路２４が連通し、ダイヤフラム室２２から吐出部６０へ液体が吐き出される。なお、二段式の逆止弁とすることで、ポンプ１０により供給される液体の供給量や吐出圧力を安定させることができる。
【００３０】
つづいて、継手構造６８について説明する。図３および図４は、実施の形態に係る継手構造６８を示す部分断面図である。図３は、継手構造６８を構成するプラグ７０とソケット８０が外れた解除状態を示し、図４は、継手構造６８を構成するプラグ７０とソケット８０が係合した連結状態を示す。継手構造６８は、連結状態においてプラグ７０の流路（以下、第１流路ともいう）を構成する吐出流路７２ａと、ソケット８０の流路（以下、第２流路ともいう）を構成する第１中空孔８１ａとが連通するように構成される。
【００３１】
ソケット８０は、第１ソケット本体８１と、第２ソケット本体８２と、スライド部８３と、弁機構８９とを有する。第１ソケット本体８１および第２ソケット本体８２は、軸方向に延びる中空構造を有し、第２流路を構成する。第１ソケット本体８１は、内部に第１中空孔８１ａを設けた円形筒状体であり、一端にホースや配管等が接続される接続端８０ａを有し、他端に第２ソケット本体８２が螺合される。第２ソケット本体８２は、内部に第２中空孔８２ａを設けた円形筒状体であり、プラグ７０とのワンタッチ接続を可能とするスライド部８３が設けられる。
【００３２】
スライド部８３は、第２ソケット本体８２にスライド可能に支持され、スライド部８３を付勢するスライドばね８４が取り付けられる。第２ソケット本体８２の端部に設けられる保持穴８５にはロックボール８６が嵌め込まれ、連結状態においてプラグ７０の連結部７２と係合する。
【００３３】
弁機構８９は、Ｏリング９０と、弁座９１と、弁パッキン９２と、弁体９３と、弁スプリング９４と、を有する。弁機構８９は、ソケット８０の中空孔内に収容されており、第１中空孔８１ａと第２中空孔８２ａとの間を開閉する。弁機構８９は、弁体９３の下端部９３ａがプラグ７０の先端７２ｂにより押されることにより、第１中空孔８１ａと第２中空孔８２ａとの間が連通した開状態となるように構成される。一方、弁機構８９は、弁体９３の下端部９３ａが押されない場合に、弁スプリング９４の作用により弁パッキン９２と弁体９３とが接触した閉状態となるように構成される。つまり、弁機構８９は、継手構造６８の解除状態において第２流路を途中で閉鎖するとともに、連結状態においてその閉鎖を解除して第１流路と第２流路を連通させる機能を有する。
【００３４】
プラグ７０は、連結部７２がソケット８０の第２中空孔８２ａに挿入され、その先端７２ｂが弁機構８９を構成する弁体９３の下端部９３ａを押すように構成される。連結部７２の外側面には、連結状態においてロックボール８６が係合するロック溝７４が設けられる。
【００３５】
プラグ７０の固定部７６には、吐出口３４と螺合するためのネジ構造が側面７６ａに設けられる。また、固定部７６は、格納室７８の軸方向の長さＬが、格納室７８の内直径Ｄよりも大きくなるように構成される。格納室７８の軸方向の長さＬは、吐出側第２逆止弁６２よりも長く、吐出側第１逆止弁６１と吐出側第２逆止弁６２を合計した長さよりも短いことが望ましい。いいかれば、逆止弁の軸方向の長さよりも大きく、逆止弁の軸方向の長さよりの二倍よりも小さいことが望ましい。これにより、格納室７８の内部に吐出側第２逆止弁６２を収容可能とする。吐出側第２逆止弁６２は、軸方向にボールが移動するボール封止弁であり、ボールが移動する軸方向の長さが直径よりも大きい形状を有するためである。このような固定部７６の形状とすることにより、プラグ７０は、吐出側第１逆止弁６１および吐出側第２逆止弁６２を固定する機能を兼ねることができる。
【００３６】
プラグ７０とソケット８０を連結し、継手構造６８を連結状態とするには、プラグ７０の先端７２ｂにソケット８０の連結端８０ｂを差し込めばよい。この差し込みにより、プラグ７０の連結部７２が、スライドばね８４により付勢されてスライド部８３に押圧されるロックボール８６をバネ力に抗して移動させる。その後、ロックボール８６がロック溝７４に嵌め込まれると、圧縮されたスライドばね８４の復元力によりスライド部８３が元の位置に戻り、ロック溝７４に嵌め込まれたロックボール８６が固定される。これにより、
プラグ７０とソケット８０が係合される。また、この差し込みにより、弁機構８９がプラグ７０の先端７２ｂに押されて開状態となり、プラグ７０の第１流路とソケット８０の第２流路が連通した状態となる。
【００３７】
一方、プラグ７０とソケット８０を分離し、継手構造６８を解除状態とするには、ソケット８０のスライド部８３を、スライドばね８４のバネ力に抗してスライドさせればよい。スライド部８３をスライドさせることにより、ロック溝７４に嵌め込まれたロックボール８６の固定が解除され、プラグ７０とソケット８０との係合が解除される。このとき、弁機構８９の弁体９３は、弁スプリング９４に付勢されて弁パッキン９２に密着し、ソケット８０の第２流路は途中で閉鎖される。これにより、ソケット８０や、ソケット８０に接続されるホース等の内部に残留する液体は、外に漏洩しない。
【００３８】
本実施の形態に係る継手構造６８によれば、プラグ７０とソケット８０がワンタッチ操作で着脱可能であるため、ユニオンナット等を用いる場合と比べて、ホース等の着脱が容易となる。また、ホース等を取り外す場合に、ソケット８０の弁機構８９が閉状態となるため、ホース等の内部に残留する液体の漏洩を防ぐことができる。本実施の形態に係るポンプ１０は、次亜塩素酸ナトリウム（ＮａＣｌＯ）などの化学薬品の供給にも用いることから、メンテナンス時において化学薬品が外部に漏れ出すことは作業の安全上好ましくない。本実施の形態に係る継手構造６８によれば、ホース等の取り外し時において液体の漏出を防ぐこともできることから、作業の安全性を確保することができる。これにより、利便性の高い継手構造６８とすることができる。
【００３９】
また、本実施の形態に係る継手構造６８によれば、プラグ７０が逆止弁を固定する機能を兼ね備えることから、ワンタッチ接続のためのアタッチメントを別途接続する場合と比べて部品点数を削減することができる。また、直列接続される二つの逆止弁を収容できる格納室７８を有するプラグ７０とすることで、二段式の逆止弁構造を実現し、ポンプ１０による液体の供給量および吐出圧力を安定させることができる。
【００４０】
以上、本考案を実施の形態にもとづいて説明した。本考案は上記実施の形態に限定されず、種々の設計変更が可能であり、様々な変形例が可能であること、またそうした変形例も本考案の範囲にあることは、当業者に理解されるところである。
【００４１】
上述の実施の形態においては、プラグ７０を吐出部６０に設けることとした。変形例においては、吸込部４０にプラグ７０を設けることとしてもよい。この場合、ホースジョイント４６の代わりにプラグ７０を吸込口３２に接続すればよい。プラグ７０の固定部７６を、吸込側第１逆止弁４１および吸込側第２逆止弁４２を収容できる形状とすることで、ワンタッチ脱着機能と逆止弁の固定機能を兼ねさせることができる。なお、さらなる変形例においては、吸込部４０と吐出部６０の双方にプラグ７０を接続することとしてもよい。
【００４２】
上述の実施の形態においては、プラグ７０の連結部７２が軸方向に直線的に延びる形状とした。変形例においては、プラグ７０の連結部７２をＬ字管のように屈曲させることとしてもよい。連結部７２を屈曲させることにより、ソケット８０を軸方向に交差する水平方向から挿入することができ、継手構造６８の利便性を高めることができる。さらなる変形例においては、Ｌ字状に屈曲させた連結部７２を、固定部７６の中心軸を中心に回動自在に構成したプラグ７０としてもよい。このようなプラグ７０とすることで、連結部７２を回転させてソケット８０の挿入方向を変えることができ、脱着時の利便性をさらに高めることができる。
【符号の説明】
【００４３】
１０…ポンプ、１２…ポンプ本体、１４…ダイヤフラム、２０…ポンプヘッド、２２…ダイヤフラム室、２４…ダイレクト通路、３２…吸込口、３４…吐出口、６０…吐出部、６１…吐出側第１逆止弁、６２…吐出側第２逆止弁、６８…継手構造、７０…プラグ、７２…連結部、７２ａ…吐出流路、７６…固定部、７８…格納室、８０…ソケット、８９…弁機構。
【図１】
0003190294.tif 000003
【図２】
0003190294.tif 000004
【図３】
0003190294.tif 000005
【図４】
0003190294.tif 000006